(57)【特許請求の範囲】
【請求項１】
電動機を内蔵する本体と、前記電動機により回転駆動されるカップリングと、前記本体上に載置される容器と、該容器の上面開口に取り付けられる蓋と、上面にカッターを有し前記電動機の回転軸のカップリングに連結されて回転するカッター台と該カッター台に取り付けられ周面に多数の孔を有するフィルターとを有する遠心分離籠と、前記フィルターの下方周面に形成され前記孔よりも径大な透孔と、前記フィルターに対して周方向に回転自在に配設され、フィルターの透孔を塞ぐ閉塞部を有するリング状部材とを備え、前記カッター台とリング状部材とに、前記リング状部材をフィルターに対して透孔を塞ぐ位置及び開放する位置において係止する係止部を各々形成し、前記カッター台の係止部の回転方向前方側と、前記リング状部材係止部の回転方向後方側とに各々垂直面を形成するとともに、前記カッター台の係止部の回転方向後方側に、リング状部材の係止部を案内する傾斜部を形成したことを特徴とするジューサー。
【請求項２】
電動機を内蔵する本体と、前記電動機により回転駆動されるカップリングと、前記本体上に載置される容器と、該容器の上面開口に取り付けられる蓋と、上面にカッターを有し前記電動機の回転軸のカップリングに連結されて回転するカッター台と該カッター台に取り付けられ周面に多数の孔を有するフィルターとを有する遠心分離籠と、前記フィルターの下方周面に形成され前記孔よりも径大な透孔と、前記フィルターに対して周方向に回転自在に配設され、フィルターの透孔を塞ぐ閉塞部を有するリング状部材とを備え、前記フィルターを、扇型のフィルター部材の端部を、遠心分離籠の回転方向後方側から前方側に向かって低くなる段部を形成するよう溶接し、前記カッター台とリング状部材とに、前記リング状部材をフィルターに対して透孔を塞ぐ位置及び開放する位置において係止する係止部を各々形成するとともに、前記リング状部材の遠心分離籠の回転方向後方側への回転を規制する規制手段を設けたことを特徴とするジューサー。
【発明の詳細な説明】
【０００１】
【発明の属する技術分野】
本発明は、果肉や繊維分の多いジュース、または果肉や繊維分の少ない比較的澄んだジュースを作ることができるジューサーに関する。
【０００２】
【従来の技術】
従来、材料の繊維を多く含んだジュースと、繊維を殆ど含まない澄んだジュースとを作るジューサーとして、特公昭57-11209号公報(A47J 19/00)に開示されるものがあった。
【０００３】
この従来技術を公報の符号を附して説明すると、このジューサーは、フィルター８の下方に他の孔７よりも大きな通孔27を形成し、この通孔27をカッタ台22に形成した開閉壁28にて開閉することにより、繊維分や果肉を含んだジュースや、繊維分や果肉を殆ど含まないジュースを好みに応じて生成するものであるが、フィルタ８の保持枠20に形成した挿入切欠21にカッタ台22に形成した脚部23を回り止め及び抜け止めして挿入しており、ジュースの濃度を切り換える際には、この保持枠20とカッタ台22とを一旦取り外して保持枠20を回転させて、再度カッタ台の脚部23と保持枠の挿入切欠21とを係合指せなければならず、使い勝手が悪い欠点があった。
【０００４】
このため、出願人は、特願平8-39976号にて、多数の孔を有する逆円錐状のフィルターを有する遠心分離籠の下方周面に、前記孔よりも大きな透孔を形成するとともに、フィルター外周にこの透孔を開閉する閉塞部を有するリング状部材を回転自在に配設し、このリング状部材をフィルターに対して回転させることにより、ジュースに混入する果肉及び繊維の量を調節してジュースの濃度を切り換えられるよう構成したものを提案した。
【０００５】
しかしながら、上記構成において、リング状部材を遠心分離籠の回転方向に対して両方向に回転可能な構成としているため、リング状部材の回転規制のクリックが弱い場合、リング状部材が遠心分離籠の回転時に慣性により回転する恐れがあるため、リング状部材の回転規制のクリック感を強くする必要がある反面、使用者がジュースの濃度を切り換える際に、このクリック感が強すぎると使用性が悪い問題がある。
【０００６】
また、一般的にジューサーのフィルターは、２枚の扇型の金属板の端部をスポット溶接にて接続して逆円錐形状に形成しているが、この接続部分に段差ができるために、フィルターとリング状部材との間隔が小さすぎる場合に、リング状部材をこの段差の端面に逆らう方向に回転させるとリング状部材がこの端面にて削られる恐れがあり、リング状部材による透孔の開閉の信頼性が低下することが考えられる。
【０００７】
【発明が解決しようとする課題】
本発明は上記欠点に鑑み成されたもので、ジュースの濃度を確実に切り換えできるとともに、透孔開閉の信頼性及び使用性を向上しえるジューサーを提供することを課題とする。
【０００８】
【課題を解決するための手段】
【０００９】
本発明は、電動機を内蔵する本体と、前記電動機により回転駆動されるカップリングと、前記本体上に載置される容器と、該容器の上面開口に取り付けられる蓋と、上面にカッターを有し前記電動機の回転軸のカップリングに連結されて回転するカッター台と該カッター台に取り付けられ周面に多数の孔を有するフィルターとを有する遠心分離籠と、前記フィルターの下方周面に形成され前記孔よりも径大な透孔と、前記フィルターに対して周方向に回転自在に配設され、フィルターの透孔を塞ぐ閉塞部を有するリング状部材とを備え、前記カッター台とリング状部材とに、前記リング状部材をフィルターに対して透孔を塞ぐ位置及び開放する位置において係止する係止部を各々形成し、前記カッター台の係止部の回転方向前方側と、前記リング状部材係止部の回転方向後方側とに各々垂直面を形成するとともに、前記カッター台の係止部の回転方向後方側に、リング状部材の係止部を案内する傾斜部を形成したことを特徴とするジューサー。
【００１０】
さらに、本発明は、電動機を内蔵する本体と、前記電動機により回転駆動されるカップリングと、前記本体上に載置される容器と、該容器の上面開口に取り付けられる蓋と、上面にカッターを有し前記電動機の回転軸のカップリングに連結されて回転するカッター台と該カッター台に取り付けられ周面に多数の孔を有するフィルターとを有する遠心分離籠と、前記フィルターの下方周面に形成され前記孔よりも径大な透孔と、前記フィルターに対して周方向に回転自在に配設され、フィルターの透孔を塞ぐ閉塞部を有するリング状部材とを備え、前記フィルターを、扇型のフィルター部材の端部を、遠心分離籠の回転方向後方側から前方側に向かって低くなる段部を形成するよう溶接し、前記カッター台とリング状部材とに、前記リング状部材をフィルターに対して透孔を塞ぐ位置及び開放する位置において係止する係止部を各々形成するとともに、前記リング状部材の遠心分離籠の回転方向後方側への回転を規制する規制手段を設けたことを特徴とする。
【００１１】
【発明の実施の形態】
本発明の実施の形態を図面に基づいて説明する。
【００１２】
１は図示しない電動機を内蔵する本体で、該本体１上面に前記電動機の回転軸２を突出させるとともに、該本体１の一側部にジュースカップ３を載置する載置部４を形成している。５は前記電動機の回転軸２に取り付けられたカップリングで、後述する遠心分離籠15のカッター台17と係合し、電動機の回転を遠心分離籠15に伝達するようになっている。
【００１３】
６は前記本体１に載置されるジュース容器で、底部に前記カップリング５が臨む開口７を形成するとともに、前記本体１の載置部４上方に対応する位置には、ジュースが流出する流出口８を形成している。
【００１４】
９は前記ジュース容器６に載置されるカス受け容器で、一側部にカス溜部10を形成するとともに、後述する遠心分離籠15が位置する開口部11を形成している。
【００１５】
12は前記ジュース容器６及びカス受け容器９の上面開口を開閉自在に被う蓋で、後述する遠心分離籠15のカッター16にて切削する材料を投入する投入筒13を一体形成しており、該投入筒13にプッシャー14を挿脱自在に配設している。
【００１６】
15は前記本体１と蓋12にて形成される空間内に配設される遠心分離籠で、前記カップリング５に係合し上面にカッター16を有するカッター台17と、該カッター台17に取り付けられ多数の長方形の孔を有するフィルター18とから構成されている。
【００１７】
前記フィルター18は、２枚の扇型のフィルター部材の端部をスポット溶接にて接続して逆円錐形に形成されており、この接続部に段部19が形成されるが、該段部19は、前記遠心分離籠15の回転方向後方側から前方側に向かって低くなるように溶接されている。
【００１８】
20は前記フィルター18の下方周面に形成された複数の透孔で、前記フィルター18の周面全体に形成された孔よりも径大に形成されており、後述するリング状部材24の閉塞部25により開閉自在に被われるようになっている。
【００１９】
21は前記カッター台17の外周部上面に全周にわたって形成された係合凸部で、後述するリング状部材24の突起29が係合し、リング状部材24を前記フィルター18に対して任意の位置に位置決めするようになっている。
【００２０】
前記係合凸部21は、図２及び図３に示す如く、前記カッター台17の回転方向前方側面に垂直な立壁部22を形成するとともにカッター台17の回転方向後方側面に傾斜部23を形成しており、後述するリング状部材24の突起29がカッター台17の回転方向前方側に回転する際には、突起29が傾斜部23に案内されて容易に回転するとともに、カッター台17の回転方向後方側(反回転方向)に回転するのを規制して、カッター台17の回転時に慣性によりリング状部材24が不用意に回転するのを確実に防止している。また、前記フィルター18の段部19に逆らう方向に回転するのを防止し、後述するリング状部材24の成型による寸法のバラツキ等によりリング状部材が段部19に接触した場合に、リング状部材24が削られるのを防止している。
【００２１】
24は前記遠心分離籠15のフィルター18外側に回転自在に配設されたリング状部材で、該リング状部材24の前記フィルター18の透孔20に対応する位置に、透孔20を被う閉塞部25を一体形成している。
【００２２】
26は前記閉塞部25の下端部に前記フィルター18に向かって形成された鍔部で、該鍔部26がフィルター18の外周下端部の傾斜部に当接することにより、前記リング状部材24の上方向への移動を規制し、リング状部材24の内周面及び閉塞部25内面とフィルター18との間にフィルター18周面の孔の最大幅よりも小さい隙間27を保持している。
【００２３】
前記隙間27の間隔をフィルター18の孔の最大幅よりも小さくすることにより、リング状部材24の閉塞部25によりフィルター18の透孔20を閉塞した状態で、フィルター18の孔から排出されるよりも大きな繊維分が透孔20からでようとしても隙間27に詰まるため、大きなカスが排出されることがない。
【００２４】
28は前記リング状部材24の閉塞部25下端部間を連結する連結環で、該連結環28により前記閉塞部25を連結することにより、前記遠心分離籠15の回転時に遠心力により閉塞部25が外周方向に撓むのを防止し隙間27が大きくなってカスが漏れるのを防止するとともに、リング状部材24の強度を向上できる。
【００２５】
29は前記閉塞部25及び連結環28下面に突出形成された突起で、前記カッター台17の係合凸部21に係合するとともに、前記係合凸部21を乗り越える際にクリック感を生じるようになっており、前記リング状部材24を回転方向前方側に向かって回転させて、リング状部材24の閉塞部25がフィルター18の透孔20を被う位置及び開放する位置に位置決めできるようになっている。
【００２６】
前記突起29の、カッター台17の係合凸部21の立壁部22に対向する側には、立壁部22に一致する垂直部30が形成されており、前記立壁部22に確実に当接してリング状部材24の遠心分離籠15の回転方向後方側への回転を規制し、遠心分離籠15の回転起動時にリング状部材24が不用意に回転するのを確実に防止するようになっている。
【００２７】
31は前記リング状部材24の外周部に形成された手掛用凸部で、前記リング状部材24を回転させる際に使用者の手指が引っ掛かりやすくすることにより、リング状部材24を回転させやすくしている。
【００２８】
前記リング状部材24の閉塞部25の幅は、前記フィルター18の透孔20の２倍以上で、且つ係合凸部21のピッチは閉塞部25の幅の１／２以下となっており、遠心分離籠15の形成時、カッター台17に対してフィルター18の透孔20がどの位置に於いて固定されても、(即ち、カッター台17に対してフィルター18の透孔20の位置がずれても)リング状部材24の閉塞部25により確実にフィルター18の透孔20が閉塞されるため、遠心分離籠15を形成する際にカッター台17とフィルター18とを位置決めすること無く固定でき、作業性を向上できるようになっている。
【００２９】
而して、果肉や繊維分の少ない比較的澄んだジュースを生成する際は、リング状部材24を回転させて閉塞部25によりフィルター18の透孔20を閉塞した状態で電動機を駆動させながら蓋12の投入筒13から材料を投入し、プッシャー14で押させると、遠心分離籠15下部のカッター16にて材料が切削されるとともに遠心力によりフィルター18の孔からジュース分が飛ばされ、ジュース容器６内に流れて流出口８から本体１に載置されたジュースカップ３に溜められる一方、ジュース分が絞られたカスは、遠心分離籠15のフィルター18内周面に沿って上方へ移動し、フィルター18の開口からカス受け容器９のカス溜部10内に放出される。
【００３０】
また、果肉や繊維分を含んだ濃いジュースを生成する際は、リング状部材24を回転させて閉塞部25によりフィルター18の透孔20を開放した状態で電動機を駆動させて使用する。この時、フィルター18の透孔20から切削物の果肉や繊維の一部がジュースとともに漏れてジュース容器９内に流れ、果肉や繊維分を含んだ濃いジュースを生成できる。
【００３１】
リング状部材24は、カッター台17の係合凸部21に立壁部22を形成したことにより、遠心分離籠15の回転方向後方側への回転が規制されるため、電動機の起動時に、リング状部材24がフィルター18に対して遠心分離籠15の反回転方向へ回転しようとする慣性力による不用意な回転を防止でき、確実にジュースの濃度を切り換えて生成できるとともに、リング状部材24とカッター台17とのクリック感を必要以上に強くする必要がなく、リング状部材24の回転操作性を低下させることがない。
【００３２】
さらに、遠心分離籠15の回転方向後方側から前方側に向かって低くなるように溶接されて段部19が形成されているとともに、係合凸部21に立壁部22を形成してリング状部材24の回転方向後方側への回転が規制されているため、リング状部材24の成型時の寸法誤差等によりリング状部材24がフィルター18に接触しても、リング状部材24の閉塞部25が段部19により削られるのを防止して、リング状部材24の閉塞部25とフィルター18の透孔20との間隔が広がって必要以上の果肉や繊維分が混入するのを防止でき、信頼性を向上できる。
【００３３】
【発明の効果】
【００３４】
本発明の請求項１によると、カッター台とリング状部材に形成した係止部の相対向する垂直面が当接することにより、電動機の起動時に遠心分離籠の回転に伴う反作用によりリング状部材が遠心分離籠の反回転方向に回転するのを確実に防止でき、リング状部材とフィルターとの係合のクリック感を強くすることなくリング状部材が不用意に回転するのを防止してジュースの濃度の切り換えを確実に行うことができ、リング状部材を容易に回転させることができ使用性を向上できる。
【００３５】
さらに、本発明の請求項２によると、電動機の起動時に遠心分離籠の回転に伴う反作用によりリング状部材が遠心分離籠の反回転方向に回転するのを防止でき、リング状部材が不用意に回転するのを防止することによりジュースの濃度の切り換えを確実に行うことができるとともに、リング状部材を遠心分離籠の回転方向後方側、即ちフィルターの接続部の段部に逆らう方向に回転するのを規制することにより、リング状部材の成型時の寸法誤差等によりリング状部材の閉塞部とフィルターとの間隔が狭くなった場合でも、リング状部材がフィルターの段部により削られることがなく、ジュース濃度切り換えの信頼性を向上できる。
【図面の簡単な説明】
【図１】本発明の実施の形態を示すジューサーの一部破断図である。
【図２】同遠心分離籠の側面図である。
【図３】同リング状部材の閉塞部により透孔閉塞時の要部拡大図である。
【図４】同透孔開放時の要部拡大図である。
【図５】同フィルター部材の平面図である。
【図６】同フィルターの接続部(段部)の拡大上面図である。
【図７】同遠心分離籠の要部拡大断面図である。
【図８】同リング状部材の斜視図である。
【符号の説明】
１        本体
２        突起(係止部)
５        カップリング
６        ジュース容器(容器)
12        蓋
15        遠心分離籠
17        カッター台
18        フィルター
19        段部
20        透孔
21        係合凸部(係止部)
22        立壁部(規制手段)
23        傾斜部
24        リング状部材
25        閉塞部
29        突起(係止部)
30        垂直部(規制手段)
【図１】
0003754135.tif 000002
【図２】
0003754135.tif 000003
【図３】
0003754135.tif 000004
【図４】
0003754135.tif 000005
【図５】
0003754135.tif 000006
【図６】
0003754135.tif 000007
【図７】
0003754135.tif 000008
【図８】
0003754135.tif 000009